(57)【要約】【課題】販促品配布装置による販売促進効果を向上させる。【解決手段】自動販売機に付設された販促品配布装置２００は、販売促進情報が付された販促品を収納する販促品収納室２２２と、販促品収納室２２２に収納された販促品を販促品取出口２４６へと搬出する払出装置２２６と、払出装置２２６を制御する制御装置２８０と、を有する。そして、制御装置２８０は、商品が購入されたことを表す購入信号を自動販売機から受信したときに、販促品が販促品取出口２４６へと搬出されるように、払出装置２２６を制御する。このため、自動販売機における商品購入に連動して、販促品配布装置２００から販促品が自動的に配布されることとなり、販売促進効果を向上させることができる。【選択図】図３
2012242874.tif 000002
【特許請求の範囲】
【請求項１】
販売促進情報が付された販促品を収納する販促品収納室と、
前記販促品収納室に収納された販促品を販促品取出口へと搬出する払出装置と、
前記払出装置を制御する制御装置と、
を有し、
前記制御装置は、商品が購入されたことを表す購入信号を自動販売機から受信したときに、前記販促品が販促品取出口へと搬出されるように、前記払出装置を制御する、販促品配布装置。
【請求項２】
前記販促品の配布を受けるときに操作する操作部を更に備え、
前記制御装置は、前記購入信号を受信したときに、前記操作部による販促品の配布操作を有効にする、請求項１に記載の販促品配布装置。
【請求項３】
前記制御装置は、前記操作部による販促品の配布操作を所定時間有効にする、請求項２に記載の販促品配布装置。
【請求項４】
前記所定時間は、任意に変更可能である、請求項３に記載の販促品配布装置。
【請求項５】
前記販促品に付されたマトリックス型の二次元コードを読み取るコードリーダと、
前記コードリーダにより読み取られた二次元コードに関連付けられた情報を表示するモニタと、
を更に有する、請求項１〜請求項４のいずれか１つに記載の販促品配布装置。
【請求項６】
販売促進情報が付された販促品を収納する販促品収納室と、前記販促品収納室に収納された販促品を販促品取出口へと搬出する払出装置と、前記払出装置を制御する制御装置と、を有する販促品配布装置により販促品を配布する販促品配布方法であって、
前記制御装置が、商品が購入されたことを表す購入信号を自動販売機から受信したときに、前記販促品が販促品取出口へと搬出されるように、前記払出装置を制御する、販促品配布方法。
【発明の詳細な説明】
【技術分野】
【０００１】
本発明は、販促品を配布する販促品配布装置及び販促品配布方法に関する。
【背景技術】
【０００２】
商品販売やサービス提供などを促進することを目的として、特開２００７−２２６３５４号公報（特許文献１）に記載されるように、販促品（販売促進に係る物品）を自動的に配布する販促品払出装置（販促品配布装置）が提案されている。かかる販促品払出装置においては、利用者の携帯端末のアドレス，性別，年齢及び居住地などを指定した会員登録を事前に行うことを条件として、携帯端末に送信されてきた払出情報を入力することで、販促品が自動的に配布される。
【先行技術文献】
【特許文献】
【０００３】
【特許文献１】特開２００７−２２６３５４号公報
【発明の概要】
【発明が解決しようとする課題】
【０００４】
しかしながら、このような販促品払出装置では、利用者は事前に会員登録を行わなければ販促品を入手することができず、会員登録の手間と販促品の価値とを比較して、会員登録を行わない場合があった。また、会員登録に際して、利用者をある程度特定可能な個人情報を入力しなければならず、個人情報の流出が問題となる昨今においては会員登録を躊躇する場合もある。このため、販促品払出装置が活用されているとは言い難く、その販売促進効果が十分発揮されていなかった。
【０００５】
そこで、本発明は従来技術の問題点に鑑み、販促品を配布する契機を見直すことで、販売促進効果を向上させた、販促品配布装置及び販促品配布方法を提供することを目的とする。
【課題を解決するための手段】
【０００６】
販促品配布装置は、販売促進情報が付された販促品を収納する販促品収納室と、前記販促品収納室に収納された販促品を販促品取出口へと搬出する払出装置と、前記払出装置を制御する制御装置と、を有する。そして、制御装置は、商品が購入されたことを表す購入信号を自動販売機から受信したときに、前記販促品が販促品取出口へと搬出されるように、前記払出装置を制御する。
【発明の効果】
【０００７】
自動販売機における商品購入に連動して、販促品配布装置から販促品が自動的に配布されるため、販売促進効果を向上させることができる。
【図面の簡単な説明】
【０００８】
【図１】自動販売機に付設された販促品配布装置の一例を示す斜視図である。
【図２】自動販売機の内部構造の一例を示す斜視図である。
【図３】販促品配布装置の内部構造の一例を示す斜視図である。
【図４】販促品配布装置の制御ブロック図である。
【図５】制御プログラムの一例を示すフローチャートである。
【図６】販促品配布装置の変形例を示す斜視図である。
【図７】販促品配布装置の他の変形例を示す斜視図である。
【発明を実施するための形態】
【０００９】
以下、添付された図面を参照し、本発明を実施するための実施形態について詳述する。
図１は、飲料を販売する自動販売機１００に付設された販促品配布装置２００の一例を示す。なお、自動販売機１００としては、飲料に限らず、食品、タバコ、雑誌、新聞などを販売するもの、駐車場の精算機、各種券売機などであってもよい。
【００１０】
自動販売機１００は、前面が開口した販売機本体１２０と、販売機本体１２０の前面開口を開閉する左右開きの外扉１４０と、を有している。
外扉１４０には、その上部から中間部にかけて、複数の商品見本１６０を展示する商品展示室１４２と、購入を希望する商品を選択する商品選択ボタン１４４と、商品代金の投入又は返却を行うコインメック１４６と、が夫々取り付けられている。また、外扉１４０の下部には、購入した商品を取り出すための商品取出口１４８が開設されていると共に、コインメック１４６により返却された硬貨を取り出すための硬貨取出口１５０が開設されている。ここで、コインメック１４６は、硬貨を投入する硬貨投入口１４６Ａと、紙幣を投入する紙幣投入口１４６Ｂと、釣銭又は投入した硬貨若しくは紙幣を返却する場合に操作する返却レバー１４６Ｃと、を有している。
【００１１】
販売機本体１２０は、図２に示すように、内部を上下に仕切ることにより、商品を収納する商品収納室１２２が上部側に設けられ、商品収納室１２２を冷却又は加熱する機器を収納する機械室１２４が下部側に設けられている。商品収納室１２２は、上面、背面、底面及び左右両側面が断熱材によって囲まれ、前面が断熱性の内扉１２６によって開閉されるようになっている。内扉１２６の下部には、商品収納室１２２と外扉１４０に開設された商品取出口１４８とを連通する商品搬出口１２８が左右方向に複数開設され、商品収納室１２２に収納された商品が商品搬出口１２８を介して商品取出口１４８に搬出されるようになっている。また、各商品搬出口１２８の上端側には、商品搬出口１２８を開閉する搬出扉１３０が取り付けられている。搬出扉１３０は、商品収納室１２２から商品搬出口１２８へと搬出された商品によって押し開けられ、商品を商品取出口１４８へと搬出するようになっている。
【００１２】
販促品配布装置２００は、前面が開口した配布装置本体２２０と、配布装置本体２２０の前面開口を開閉する左右開きの外扉２４０と、を有している。
外扉２４０の上部には、販促品の見本（販促品見本）２６０を展示する販促品展示室２４２と、販促品の配布を受けるときに操作する払出ボタン２４４（操作部）と、が夫々取り付けられている。また、外扉２４０の下部には、配布された販促品を取り出すための販促品取出口２４６が開設されている。
【００１３】
配布装置本体２２０の内部には、図３に示すように、販促品を収納する販促品収納室２２２と、販促品収納室２２２に収納された販促品を販促品払出口２２４から外扉２４０の販促品取出口２４６へと搬出する払出装置２２６と、が夫々取り付けられている。ここで、販促品としては、例えば、企業情報、製品情報、サービス情報などの販売促進情報が付されたポケットティッシュ、ウェットティッシュ、箱入り景品など、公知の各種販促品が適用できる。また、払出装置２２６としては、自動販売機１００における商品搬出機構と同様な公知の各種機構を適宜選択採用することができる。なお、「販売促進情報が付された」とは、販促品のパッケージに販売促進情報が表示されたものに限らず、例えば、販促品のパッケージにカードやクーポンなどが封入されたものも含む。
【００１４】
さらに、外扉２４０の内面には、払出ボタン２４４の操作に応答して払出装置２２６を電子制御するために、コンピュータを内蔵した制御装置２８０が取り付けられている。なお、制御装置２８０は、リレーなどの電気素子を適宜組み合わせて構成してもよく、また、配布装置本体２２０の内部に設置されていてもよい。
【００１５】
制御装置２８０には、図４に示すように、払出ボタン２４４の操作信号（例えば、押し下げられたときにＯＮとなる信号）と、自動販売機１００において商品が購入されたことを表す購入信号と、が入力される。ここで、購入信号としては、例えば、コインメック１４６において商品代金が代金受箱に投下された信号、商品が商品取出口１４８へと搬出された信号、商品選択ボタン１４４が操作された信号などを適用することができる。そして、制御装置２８０は、ハードディスク、フラッシュメモリなどの不揮発性記録媒体に記録された制御プログラムに従って、払出ボタン２４４の操作信号及び購入信号に応じて払出装置２６６を適宜電子制御する。
【００１６】
図５は、販促品配布装置２００が起動されたことを契機として、その制御装置２８０が第１の所定時間（例えば、100ms)ごとに繰り返し実行する制御プログラムの処理内容を示す。
【００１７】
ステップ１（図では「Ｓ１」と略記する。以下同様。）では、制御装置２８０が、自動販売機１００から購入信号を受信したか否かを判定する。そして、制御装置２８０は、購入信号を受信したと判定すれば処理をステップ２へと進める一方（Ｙｅｓ）、購入信号を受信していないと判定すれば処理を終了させる（Ｎｏ）。なお、購入信号は、少なくとも、第１の所定時間以上同じ状態を継続していればよい。
【００１８】
ステップ２では、制御装置２８０が、例えば、コンピュータに内蔵されたタイマーをスタートさせる。
ステップ３では、制御装置２８０が、払出ボタン２４４の操作信号の有無に応じて、払出ボタン２４４が押し下げられたか否かを判定する。そして、制御装置２８０は、払出ボタン２４４が押し下げられたと判定すれば処理をステップ４へと進める一方（Ｙｅｓ）、払出ボタン２４４が押し下げられていないと判定すれば処理をステップ５へと進める（Ｎｏ）。
【００１９】
ステップ４では、制御装置２８０が、払出装置２２６を作動させて、その販促品収納室２２２から販促品取出口２４６に販促品を搬出する。
ステップ５では、制御装置２８０が、タイマーを参照し、購入信号を受信してから第２の所定時間（例えば、１分）経過したか否かを判定する。そして、制御装置２８０は、第２の所定時間経過したと判定すれば処理を終了させる一方（Ｙｅｓ）、第２の所定時間経過していないと判定すれば処理をステップ３へと戻す（Ｎｏ）。なお、第２の所定時間は、例えば、制御装置２８０に接続したコンソール（操作卓）により任意に変更できるようにしてもよい。
【００２０】
かかる販促品配布装置２００によれば、自動販売機１００の利用者が、商品代金を投入して商品選択ボタン１４４を操作すると、第２の所定時間の間、販促品を入手できる権利が発生、要するに、払出ボタン２４４による販促品の配布操作が有効になる。そして、自動販売機１００の利用者が第２の所定時間の間に払出ボタン２４４を操作すると、販促品配布装置２００の払出装置２２６が作動し、販促品収納室２２２に収納された販促品が販促品取出口２４６へと搬出される。一方、自動販売機１００の利用者が第２の所定時間の間に払出ボタン２４４を操作しないと、販促品を入手できる権利が消滅する。
【００２１】
このため、事前に会員登録を行わなくても、自動販売機１００における商品購入に連動して、販促品配布装置２００から販促品が自動的に配布されることとなり、販売促進効果を向上させることができる。このとき、自動販売機１００の利用者が販促品に興味がない場合、第２の所定時間の間に払出ボタン２４４を操作しないことで、販促品を入手できる権利を消滅させることができる。従って、利用者が興味を示さない販促品の配布が抑制され、販売促進に要する経費などを削減することができる。
【００２２】
次に、販促品配布装置２００の各種変形例について説明する。
（１）販促品配布装置２００は、１種類の販促品の配布に限らず、２種類以上の販促品の中から利用者が選択した販促品を配布するようにしてもよい。この場合、販促品配布装置２００の外扉２４０には、図６に示すように、配布対象である販促品の種類に応じた数の払出ボタン２４４を取り付けるようにすればよい。
このようにすれば、２種類以上の販促品を配布することができる。
【００２３】
（２）販促品配布装置２００の販促品展示室２４２及び払出ボタン２４４に代えて、図７に示すようなタッチパネル２９０を用い、タッチパネル２９０に少なくとも１つの販促品見本２６０及び払出ボタン２４４を表示させてもよい。なお、タッチパネル２９０においては、販促品配布装置２００として機能していないとき、販売促進情報、周辺地図などを提供するようにしてもよい。ここで、販売促進情報、周辺地図などは、ＣＤ−ＲＯＭ（Compact Disk Read Only Memory）、ＵＳＢ（Universal Serial Bus）メモリなどの可搬記録媒体を介して、制御装置２８０に読み込むようにしてもよい。また、販売促進情報、周辺地図などは、インターネットなどのコンピュータネットワークを介して接続された管理サーバから、販促品配布装置２００の制御装置２８０に送信されるようにしてもよい。
このようにすれば、販促品配布装置２００は、本来の機能である販促品の配布を行っていないとき、各種情報を発信するステーションとして機能することができる。
【００２４】
（３）販促品配布装置２００は、自動販売機１００と別体ではなく、自動販売機１００に内蔵されていてもよい。
このようにすれば、自動販売機１００に販促品配布機能を付加させることができる。
【００２５】
（４）販促品にＱＲコード（登録商標）などのマトリックス型の二次元コードを更に付し、販促品配布装置２００に設置されたコードリーダで二次元コードを読み取ると、二次元コードに関連付けられた情報、例えば、販売促進情報に係る店舗などのホームページをモニタで閲覧できるようにしてもよい。この場合、販促品配布装置２００の制御装置２８０には、インターネットに接続するためのブロードバンドルータが内蔵され、無線又は有線によりインターネットに接続されていればよい。そして、販売促進情報に係る店舗などのホームページにおいて、利用者が興味を示す、商品情報の収集、商品の購入、予約などが適宜行われる。なお、モニタとして、タッチパネルを使用することができる。
このようにすれば、販促品に付すことができない膨大な情報も提供することができる。
【００２６】
（５）販促品配布装置２００は、自動販売機１００からの購入信号を受信したとき、払出装置２２６を作動させて、販促品収納室２２２に収納された販促品を販促品取出口２４６へ搬出するようにしてもよい。この場合、販促品配布装置２００の外扉２４０には、払出ボタン２４４を取り付ける必要はない。
このようにすれば、自動販売機１００における商品購入に連動して、販促品配布装置２００から販促品を自動的に配布することができる。
【符号の説明】
【００２７】
１００  自動販売機
２００  販促品配布装置
２２２  販促品収納室
２２６  払出装置
２４４  払出ボタン（操作部）
２４６  販促品取出口
２８０  制御装置
２９０  タッチパネル
【図１】
2012242874.tif 000003
【図２】
2012242874.tif 000004
【図３】
2012242874.tif 000005
【図４】
2012242874.tif 000006
【図５】
2012242874.tif 000007
【図６】
2012242874.tif 000008
【図７】
2012242874.tif 000009